(57)【要約】【課題】細長い形状の物品用パケットに関する。【解決手段】前壁、後壁または背面、二つの側面、頂面および底面を有し、閉鎖フラップを形成する切欠きが穿孔された実質的平行六面体の外ラッパーを含み、前記切欠きが前壁の中央領域を占める横切る線、および対応する側面の角縁から所定間隔おいて横切る線の両端から前壁に沿って少なくとも頂面の幅を横切って延びた二つの線として形成されている。前記切欠きにより占められた領域が引きタブを備えた接着剤ラベルによって被覆されている。パケットは、ラッパー内で長手方向の実質的平行六面体の二つの空間を占める作用をする内要素を含み、各空間は前記切欠きの線の外側に位置する頂面の対応部と一端で位置および寸法が一致する。【選択図】図５
2010006476.tif 000002
【特許請求の範囲】
【請求項１】
前壁（８）、後壁または背面（９）、二つの側面（１０）、頂面（１１）および底面（１２）を有するパケット（１）の長軸（Ａ）に平行に配置される物品（２）を収納する実質的平行六面体の外ラッパー（７）を含み、更に、パケット（１）の長軸（Ａ）を横切りかつ前壁（８）の中央領域を占める部、および対応する側面（１０）の角縁から所定間隔おいて前壁に沿って少なくとも頂面の幅にわたって前記長軸を横切る部の両端から延びた二部で構成された閉鎖要素または舌部（７）を形成する作用をする切欠き（１３）を含み、前記切欠き（１３）により占められた領域が引きタブ（２０）を具備した接着剤ラベル（１９）によって被覆された、細長い形状の物品用パケットにおいて、
前記パケットは、前記ラッパー（７）内に長手方向の実質的平行六面体の二つの空間を充填する作用をする内要素（２１）を含み、各空間は前記切欠き（１３）の外部に位置する頂面（１１）の部分と一端で位置および寸法が対応していることを特徴とする、パケット。
【請求項２】
前記切欠き（１３）は、パケット（１）の長軸（Ａ）を横切り、前壁（８）の中央領域を占める部、および相互に実質的平行に設けられかつ対応する側面（１０）の角縁から所定間隔おいて、横切る部の両端から、前壁（８）に沿って少なくとも頂面（１１）を横切って延在する二部を含み、それぞれの自由端はラッパー（７）の背面（９）上に位置する、請求項１のパケット。
【請求項３】
前記内要素（２１）は剛性または半剛性材料で形成されている、請求項１または２のパケット。
【請求項４】
前記内要素（２１）は、前壁（８）の寸法に等しい寸法のフラット中央部（２２）を含み、かつフラット中央部の各長手縁に連結され、ラッパー（７）の深さに実質的同一の深さを有するリブ（２３）を含み、ラッパー（７）内の二つの実質的平行六面体の空間を充填するように、各空間は切欠き（１３）と側面（１０）間の頂面（１１）の対応する部分と一端で位置および寸法が対応する、請求項３のパケット。
【請求項５】
前記内要素（２１）は、厚紙または板紙によるフラットブランク（２４，３９，４４，４７，４８）から形成されている、請求項４のパケット。
【請求項６】
前記フラットブランク（２４，３９，４４，４７，４８）は、長軸（Ａ’）に対して対称的であり、かつ長手折り目線（２５，２６，２７，２８）により、第二パネル（３０）、第三パネル（３１）、第四パネル（３２）および端フラップ（３３）に、中央パネル（２９）の両側で連結された複数パネルに分割され、各側の第二パネル（３０）、第三パネル（３１）、第四パネル（３２）は、折畳まれてリブ（２３）を形成する、請求項５のパケット。
【請求項７】
前記フラットブランク（２４，３９，４４，４７，４８）は、中央パネル（２９）の一端に対応しかつパケットが組立てられるときにラッパー（７）の底面（１２）と接触して係合するように設計される底フラップ（３５）を形成する横切る方向の折り目線を有する、請求項６のパケット。
【請求項８】
前記フラットブランク（３９）は、他の横切る折り目線（４１）に沿って中央パネル（２９）と反対側の底フラップ（３５）に連結され、パケットが組立てられるときにラッパー（７）の背面（９）と接触して係合するように設計された他のパネル（４０）含む、請求項７のパケット。
【請求項９】
前記フラットブランク（３９，４４）は、付属部（４２）を有し、各付属部はリブ（２３）の一端を包囲する作用をする、請求項５から８のいずれか一のパケット。
【請求項１０】
前記他のパネル（４０）は、折り目線（４６）により形成される二つの側フラップ（４５）を具備し、かつパケットが組立てられるときにラッパー（７）の側面（１０）と接触して係合するように設計されている、請求項８または９のパケット。
【発明の詳細な説明】
【技術分野】
【０００１】
本発明は、シガレット、棒状チュインガム、嗅ぎタバコ（snus)のポーチ等の細長い形状の物品のためのパケットに関する。
【背景技術】
【０００２】
上述タイプのパケットまたはラッパー（wrapper=包装)は、空気および湿気に対して高不透過性の可撓性包装材料による実質的矩形の紙葉(leaves)から形成され、かつ実質的平行六面体の形状を有しかつ矩形断面を有する。
【０００３】
パケットは、平行六面体の長軸に平行に延在する四つの側壁、即ち、前壁、後壁または背面、二つの狭壁または側面、長軸を横切る二つの壁、即ち頂面である上方の壁と底面である下方の壁により形成される。
【０００４】
このタイプのパケットは、ＵＳＰ４，３００，６７６の主題であり、このＵＳＰは、蝶番式蓋付き箱形の厚紙による外ラッパーへ挿入されるシガレット収容パケットを開示する。
【０００５】
パケット内のシガレットは、箱の長軸に平行に相互に側並びに設置される。
【０００６】
パケットの最上部は、実質的Ｕ字形の輪郭の切欠きを有し、前壁を占める鋭角中央部、および前壁に沿って鋭角中央部の両端から頂面を横切り背面の最上部へ延びた二つの平行部を含む。
【０００７】
切欠きはラッパー上に閉鎖要素を形成し、この閉鎖要素は使用者が一端を持って引っ張ることによりパケット内の物品を引き出すことのでる開口上に位置決めされるフラップまたは舌部に類似する。
【０００８】
閉鎖要素および閉鎖要素の周りの領域は、前壁の頂部、パケットの頂部、そして背面の隣接部を含む領域を横切る接着剤ラベルにより完全に被覆される。
【０００９】
前壁上に位置決めされたラベル部分は、舌部の引き出し操作を促進すると共に使用者によるシガレットまたは他の物品の取り出し時におけるパケットの再閉鎖を可能にするタブを具備する。
【００１０】
重要なことは、接着剤ラベルが切欠きにより占められた領域全体を完全に被覆し、かつ結果的にラッパーの気密閉鎖を確実にするために、切欠きの平行部分が、パケットの前壁、頂面および背面が二つの側面と結合する角縁から所定間隔おいて設置されることである。
【００１１】
このことは、従来蝶番式蓋付きパケットが開放される場合と反対に、閉鎖要素が引き出されるときに、パケット内に収容された全ての物品の上端を露出するためにパケットの頂面が全体として上昇しないことを意味する。
【００１２】
結果的に、上端が頂面の二端に位置して切欠きの線の外側にある物品は、露出しないので視認できない。更に、パケットの内容物がタイトフィット状態でラッパーによって全体的に包囲されている場合に、最端物品は接近(access)および取出しが困難となる。
【先行技術文献】
【特許文献】
【００１３】
【特許文献１】ＵＳＰ４，３００，６７６
【発明の概要】
【発明が解決しようとする課題】
【００１４】
本発明の課題は、パケット内に収容されている物品の全てを上述の従来パケットの代表的欠点を伴うことなく取出し可能にし、かつ従来蝶番式蓋付きパケットと比較してコスト有利である、細長い形状の物品用パケットを提供することにある。
【課題を解決するための手段】
【００１５】
上記課題を解決するための手段は、特許請求の範囲に記載の細長い形状の物品用パケットにより具体化される。
【００１６】
本発明は、前壁、後壁または背面、二つの側面、頂面および底面を有するパケットの長軸に平行に配置される物品を収納する実質的平行六面体の外ラッパーを含み、更に、パケットの長軸を横切りかつ前壁の中央領域を占める部、および対応する側面の角縁から所定間隔おいて前壁に沿って少なくとも頂面の幅にわたって前記長軸を横切る部の両端から延びた二部で構成された閉鎖要素または舌部を形成する作用をする切欠きを含み、前記切欠きにより占められた領域が引きタブを具備した接着剤ラベルによって被覆された、細長い形状の物品用パケットを提供し、前記パケットが、前記ラッパー内に長手方向の実質的平行六面体の二つの空間を充填する作用をする内要素を含み、各空間は前記切欠きの外部に位置する頂面の対応する部分と一端で位置および寸法が対応することを特徴とする。
【００１７】
好適形態において、前記切欠きは、パケットの長軸を横切り、前壁の中央領域を占める部、および相互に実質的平行に設けられかつ対応する側面の角縁から所定間隔おいて、横切る部の両端から、前壁に沿って少なくとも頂面にわたって延在する二部を含み、それぞれの自由端はラッパーの背面上に位置する。
【００１８】
好適形態において、前記内要素は剛性または半剛性材料で形成されている。
【００１９】
好適形態において、前記内要素は、前壁の寸法に等しい寸法のフラット中央部を含み、かつフラット中央部の各長手縁に連結され、ラッパーの深さに実質的同一の深さを有するリブを含み、ラッパー内の二つの実質的平行六面体の空間を充填するように、各空間は切欠きと側面間の頂面の対応する部分と一端で位置および寸法が対応する。
【００２０】
好適形態において、前記内要素は、厚紙または板紙によるフラットブランクから形成されている。
【００２１】
好適形態において、前記フラットブランクは、長軸に対して対称的であり、かつ長手折り目線により、第二パネル、第三パネル、第四パネルおよび端フラップに、中央パネルの両側で連結された複数パネルに分割され、各側の第二パネル、第三パネル、第四パネルは、折畳まれてリブを形成する。
【００２２】
好適形態において、前記フラットブランクは、中央パネルの一端に対応しかつパケットが組立てられるときにラッパーの底面と接触して係合するように設計される底フラップを形成する横切る方向の折り目線を有する。
【００２３】
好適形態において、前記フラットブランクは、他の横切る折り目線に沿って中央パネルと反対側の底フラップに連結され、パケットが組立てられるときにラッパーの背面と接触して係合するように設計された他のパネル含む。
【００２４】
好適形態において、前記フラットブランクは、付属部を有し、各付属部はリブの一端を包囲する作用をする。
【００２５】
好適形態において、前記他のパネルは、折り目線により形成される二つの側フラップを具備し、かつパケットが組立てられるときにラッパーの側面と接触して係合するように設計されている。
【図面の簡単な説明】
【００２６】
【図１】本発明によるパケットの斜視図である。
【図２】本発明によるパケットの斜視図である。
【図３】本発明によるパケットの斜視図である。
【図４】図１のパケットのパーツを形成する要素を構成するフラットブランクの可能形態を示す。
【図５】図１のパケットのパーツを形成する要素を構成するフラットブランクの可能形態を示す。
【図６】図１のパケットの他の実施形態を示す。
【図７】図６のパケットのパーツを形成する要素を構成するフラットブランクの可能形態を示す。
【図８】図１のパケットの他の実施形態を示す斜視図である。
【図９】図１のパケットの他の実施形態を示す斜視図である。
【図１０】図８のパケットのパーツを形成する要素を構成するフラットブランクの可能形態を示す。
【図１１】図１のパケットの他の実施形態を示す斜視図である。
【図１２】図１１のパケットのパーツを形成する要素を構成するフラットブランクの可能形態を示す。
【図１３】図１のパケットの他の実施形態を示す斜視図である。
【図１４】本発明によるパケットのパーツを形成する要素を構成するために使用されるフラットブランクのスタック（stack=積み重ねた束)を端に沿って見た図である。
【図１５】本発明によるパケットのパーツを形成する種々の要素の一つを示す前方斜視図である。
【図１６】本発明によるパケットのパーツを形成する種々の要素の一つを示す後方斜視図である。
【発明を実施するための形態】
【００２７】
図１、２、３および６を参照すると、参照番号１は、パケットの長軸Ａに平行に側−側配置される一群のシガレット２を収容する作用をするパケットの全体を示す。
【００２８】
図３の実施形態において、物品２は三列４に配置されたシガレット３として示され、図６の実施形態において、パケット１は二列に配置されたシガレット群を収容している。自明なように、物品２は、例えば、棒状チュインガム５（図１３）、嗅ぎタバコのポーチ（図１１）等であってよい。
【００２９】
シガレットパッカーまたは他の包装機（図示せず）上で製造されるパケット１は、実質的に平行六面体の外観および矩形断面を有し、空気および湿気に対する高不透過性かつ典型的にはヒートシール可能な曲折可能材料により形成される、外ラッパー７を含む。
【００３０】
ラッパー７は、長軸Ａに平行の四側壁により形成され、前壁８、後壁または背面９、二つの相対的に狭い壁または側面１０、同様に長軸Ａを横切る二壁であって頂面１１として示されている上方壁と底面１２として示された下方壁により形成される。
【００３１】
ラッパー７の頂部は、実質的Ｕ字形の切欠き１３を有し、切欠き１３は前壁８を占める中央部１４、および中央部１４の両端から前壁８、頂面１１および背面９の最上部にわたって延在する二つの平行部１５を含む。
【００３２】
ラッパーの背面９上で、平行部１５の二つの自由端１６は相互方向にカールしている。
【００３３】
Ｕ字形切欠き１３は、パケット１から物品２を取り出すための開口１８に対応する閉鎖要素または舌部１７を形成する。
【００３４】
切欠き１３を有するラッパー７の部分は、接着剤ラベル１９により被覆され、前壁８上に位置する部分は、パケットを開放するときに舌部１７を引き出す操作を促進するように設計されたタブ２０を具備する。
【００３５】
パケット１は、剛性または半剛性の紙材料による内要素２１を含み、内要素２１は物品２と外ラッパー７との間に介在し、前壁８と接触し、前壁８と同様の高さおよび幅を有するフラット中央部２２を含む（図１５および１６参照）。
【００３６】
内要素２１は、ラッパー７の深さに等しい深さ、そして更に精確にはパケット１の側面１０により提供される横幅に相当する幅を有するリブ２３を各長手縁に沿って有する。従って、リブ２３は、各々が切欠き１３と側面１０との間の頂面１１の部分に断面が対応する、二つの実質的平行六面体の空間をラッパー７内部に占領する。
【００３７】
図４を参照すると、内要素２１は、長軸Ａ’に対して対称的に形成されかつ長手方向および横切る方向の折り目線により複数のパネルに分割された一般的に実質的矩形の外形のフラットブランク２４から形成される。
【００３８】
更に精確には、ブランク２４は、中央パネル２９の両側で、四つの長手折り目線２５、２６、２７および２８により第二、第三および第四パネル３０、３１および３２とそれぞれの端フラップ３３に分割される。
【００３９】
最後に、単一折り目線３４は、中央パネル２９の一端を横切り、長軸Ａ’を横切り、組立てたパケット７の底面１２と接触する底フラップを形成する。
【００４０】
底フラップ３５から遠い方の中央パネル９の縁３６は、パネルからの物品２の取出しを促進するために、Ｕ字形切欠き３７有する。この事例において、二つの端フラップ３３は、対応する形状の切欠き３８を有する。
【００４１】
フラットブランク２４のパネルおよびフラップ作成方法は、それぞれの折り目線に沿って折り曲げて内要素２１を形成する。継続的折畳み工程は、図面から容易に理解できるであろう。
【００４２】
特に、中央パネル２９を形成する二つの長手縁の各々に沿って隣接パネル３０、３１および３２を中央パネル２９の一部と結合してリブ２３の一つの長手方向の壁を形成する。更に精確には、第二パネル３０がラッパー７の対応する側面１０と接触する外壁になり、第三パネル３１が背面９と接触する壁となり、かつ第四パネル３２がパケット１の内側へ向かう壁となり、物品２と接触する。
【００４３】
所定形状に折曲げた後に、内要素２１は、フラット中央部２２が二重になるように、二つの端フラップ３３を接着剤により中央パネル２９へ貼付することにより固定される。
【００４４】
内要素２１は、フラットブランクを上下に積み重ねて包装機へ供給され（図１４参照）、ラッパー７と共に組立てるときに、最終的には、図１５および１６に図示されたような形態に形成される。
【００４５】
図１５は、上述ブランク２４と異なるブランク３９を示し、ブランク３９は、中央パネル２９と反対側に、横切る方向の折り目線４１に沿って底フラップ３５に結合される他のパネル４０を含む。
【００４６】
パネル４０の一面は、ラッパー７の背面９と接触して係合するように設計され、かつパネル４０の他面は、二つのリブ２３を有する第三パネル３１と接触するように設計される。
【００４７】
図５のブランク３９と図４のブランク２４との他の相違は、二つの第三パネル３１が、付加的パネル４０に隣接する両端で、実質的Ｌ字形の外形の付属部４２を具備することである。
【００４８】
二つのそれぞれのパネル３１に対して直角に折り曲げたときに、付属部４２は、内要素２１のリブ２３により提供される開放端に対応する閉鎖要素を形成する。
【００４９】
図６は、二列のシガレット３を収納する設計のパケット１を示し、図７に示されたブランク４４は、図５のブランク３９と、付加的パネル４０が外ラッパー７の側面１０と接触するであろう、それぞれ折り目線４６により形成される、二つの側フラップ４５を具備する点で相違する。
【００５０】
更に、パネル４０の自由端は、物品２の取出しを促進するために設計された切欠き３７を有する。
【００５１】
図８および９は、縁に重ねかつ前壁８および後壁９に平行に設置された嗅ぎタバコ（snus)のポーチ６を収容するパネルを示す。
【００５２】
図１０に示されたブランク４７は、図７のブランク４４と、パネル４０および２９の切欠き３７が寸法において非類似であり、かつ相互が軸方向に整列していない点で実質的に相違する。
【００５３】
図１１は、縁に前壁８および後壁９を横切る方向に重ねたタバコのポーチ６を収容する他のパケット１を示す。
【００５４】
図１２に示されたブランク４８は、図１０のブランクと実質的に類似する。
【００５５】
図１３は、縁に前壁８および後壁９を横切る方向に重ねた棒状チュインガム５を保持するパケット１を示す。
【００５６】
自明なように、図示形態の内要素を具備したパケット１において、ラッパーの側面の壁に最も近い物品への使用者によるアクセスおよび抽出に関する従来技術による問題は全体的に解消される。
【００５７】
パケットの質および強度は、内要素２１に使用されるブランクのタイプに基づいて選択的に決定できる。
【００５８】
ラッパー７内の内要素２１の位置は、長軸Ａ’を中心に添付図面に示された位置から１８０°にわたって同等に回転する。即ち、それによりフラット中央部２２がラッパー７の背面９に接触する。
【符号の説明】
【００５９】
１    パケット
２    物品
７    ラッパー
８    前壁
９    後壁
１０    側面
１２    底面
１３    切欠き
２４    ブランク
２１    内要素
２３    リブ
３７    切欠き
【図１】
2010006476.tif 000003
【図２】
2010006476.tif 000004
【図３】
2010006476.tif 000005
【図４】
2010006476.tif 000006
【図５】
2010006476.tif 000007
【図６】
2010006476.tif 000008
【図７】
2010006476.tif 000009
【図８】
2010006476.tif 000010
【図９】
2010006476.tif 000011
【図１０】
2010006476.tif 000012
【図１１】
2010006476.tif 000013
【図１２】
2010006476.tif 000014
【図１３】
2010006476.tif 000015
【図１４】
2010006476.tif 000016
【図１５】
2010006476.tif 000017
【図１６】
2010006476.tif 000018